(57)【要約】  本開示のディスプレイデバイスは、表示ユニットと、コネクタを有する基板と、コネクタを露出させた状態で基板を保持するホルダーとを含む基板ユニットと、表示ユニットおよび基板ユニットを挿入させる第１開口と、コネクタを露出させる第２開口とを含む筐体とを備えている。表示ユニットおよび基板ユニットは、第１開口に表示ユニットが露出しており且つ第２開口にコネクタが露出している状態で、筐体内に位置している。基板ユニットは、基板がホルダーに保持されており、且つホルダーが表示ユニット下面に対して垂直方向に移動可能な状態で表示ユニット下面および筐体の少なくとも一方に保持されている。ホルダーと表示ユニット下面との間には、間隙がある。【選択図】図５
2019146333.tif 000002
【特許請求の範囲】
【請求項１】
表示ユニットと、
コネクタを有する基板と、前記コネクタを露出させた状態で前記基板を保持するホルダーとを含む基板ユニットと、
前記表示ユニットおよび前記基板ユニットを挿入させる第１開口と、前記コネクタを露出させる第２開口とを含む筐体とを備え、
前記表示ユニットおよび前記基板ユニットは、前記第１開口に前記表示ユニットが露出しており且つ前記第２開口に前記コネクタが露出している状態で、前記筐体内に位置しており、
前記基板ユニットは、前記基板が前記ホルダーに保持されており、且つ前記ホルダーが前記表示ユニット下面に対して垂直方向に移動可能な状態で前記表示ユニット下面および前記筐体の少なくとも一方に保持されており、
前記ホルダーと前記表示ユニット下面との間には、間隙があることを特徴とするディスプレイデバイス。
【請求項２】
前記表示ユニットが、バックライトと、バックライト上面に位置しているディスプレイパネルと、ディスプレイパネル上面に位置しているカバーとを含んでおり、前記第１開口に前記カバーが露出していることを特徴とする請求項１に記載のディスプレイデバイス。
【請求項３】
前記表示ユニットが、接着材料によって前記筐体に固定されていることを特徴とする請求項１または２に記載のディスプレイデバイス。
【請求項４】
前記表示ユニットが、バックライトと、バックライト上面に位置しているディスプレイパネルと、ディスプレイパネル上面に位置しているカバーとを含んでおり、
前記表示ユニットが、カバー下面の外周部およびバックライト下面にそれぞれ位置している接着材料によって前記筐体に固定されていることを特徴とする請求項１〜３のいずれかに記載のディスプレイデバイス。
【請求項５】
前記表示ユニットが、バックライトと、バックライト上面に位置しているディスプレイパネルと、ディスプレイパネル上面に位置しているカバーとを含んでおり、
前記表示ユニットが、バックライト下面に位置している接着材料のみによって前記筐体に固定されていることを特徴とする請求項１〜３のいずれかに記載のディスプレイデバイス。
【請求項６】
ねじをさらに備えており、
前記筐体が、前記第２開口の周辺に位置しており且つ前記ねじを挿通する貫通穴をさらに含んでおり、
前記ホルダーが、前記貫通穴から露出するとともに前記ねじが螺合するねじ穴を有しており、
前記基板ユニットが、前記筐体の外側から前記貫通穴を介して前記ねじ穴に螺合された前記ねじによって前記筐体に固定されているとともに、前記ねじの回動によって前記間隙の大きさが調整されることを特徴とする請求項１〜５のいずれかに記載のディスプレイデバイス。
【請求項７】
前記基板が、導体部をさらに有しており、
前記筐体が、金属製であり、
前記基板が、前記導体部を介して前記金属製の筐体に接していることを特徴とする請求項１〜６のいずれかに記載のディスプレイデバイス。
【請求項８】
前記間隙に弾性部材が配置されていることを特徴とする請求項１〜７のいずれかに記載のディスプレイデバイス。
【発明の詳細な説明】
【技術分野】
【０００１】
本開示は、ディスプレイデバイスに関する。
【背景技術】
【０００２】
ディスプレイデバイスとして、従来から様々な構成が提案されている（例えば、特許文献１参照）。
【先行技術文献】
【特許文献】
【０００３】
【特許文献１】特開２００２−２６８５７２号公報
【発明の概要】
【０００４】
本開示のディスプレイデバイスは、表示ユニットと、コネクタを有する基板と、前記コネクタを露出させた状態で前記基板を保持するホルダーとを含む基板ユニットと、前記表示ユニットおよび前記基板ユニットを挿入させる第１開口と、前記コネクタを露出させる第２開口とを含む筐体とを備えている。前記表示ユニットおよび前記基板ユニットは、前記第１開口に前記表示ユニットが露出しており且つ前記第２開口に前記コネクタが露出している状態で、前記筐体内に位置している。前記基板ユニットは、前記基板が前記ホルダーに保持されており、且つ前記ホルダーが前記表示ユニット下面に対して垂直方向に移動可能な状態で前記表示ユニット下面および前記筐体の少なくとも一方に保持されている。前記ホルダーと前記表示ユニット下面との間には、間隙がある。
【図面の簡単な説明】
【０００５】
【図１】図１は、本開示の一実施形態に係るディスプレイデバイスを示す斜視図である。
【図２】図２は、図１のディスプレイデバイスを別の方向から見た斜視図である。
【図３】図３は、図１のディスプレイデバイスをコネクタ側から見た平面図である。
【図４】図４は、図３のＡ−Ａ線断面図である。
【図５】図５は、図４の部分拡大図である。
【図６】図６は、図１のディスプレイデバイスの表示ユニットを示す分解斜視図である。
【図７】図７は、図１のディスプレイデバイスから筐体を除いた状態であり、且つ、基板ユニットが表示ユニット下面に保持されている状態を示す斜視図である。
【図８】図８は、図７の分解斜視図である。
【図９】図９は、図１のディスプレイデバイスから筐体を除いた状態であり、且つ、基板ユニットが表示ユニット下面に保持されている状態を表示ユニット下面に沿って見た部分拡大図である。
【図１０】図１０は、図９のホルダーを表示ユニット下面から離れるように移動させた状態を示す図である。
【図１１】図１１は、図１のディスプレイデバイスの筐体を示す斜視図である。
【図１２】図１２は、図１１の筐体を別の方向から見た斜視図である。
【発明を実施するための形態】
【０００６】
＜ディスプレイデバイス＞
以下、本開示の一実施形態に係るディスプレイデバイスについて、図面を用いて詳細に説明する。但し、以下で参照する各図は、説明の便宜上、実施形態を説明するうえで必要な主要部材のみを簡略化して示したものである。したがって、本開示のディスプレイデバイスは、参照する各図に示されていない任意の構成部材を備え得る。また、各図中の部材の寸法は、実際の構成部材の寸法および各部材の寸法比率などを忠実に表したものではない。
【０００７】
図１〜図１２に示すように、本実施形態のディスプレイデバイス１は、表示ユニット２と、基板ユニット７と、筐体１０とを備えている。
【０００８】
（表示ユニット）
表示ユニット２は、文字または画像などを表示する機能を有している。本実施形態の表示ユニット２は、図６に示すように、バックライト３と、バックライト上面３１に位置しているディスプレイパネル４と、ディスプレイパネル上面４１に位置しているカバー５とを含んでいる。なお、表示ユニット２は、バックライト３、ディスプレイパネル４およびカバー５以外の他の部材を含んでいてもよい。
【０００９】
バックライト３は、ディスプレイパネル４を照明する機能などを有している。ディスプレイパネル４は、表示ユニット２の機能を発揮するうえで主たる役割を有する部材である。カバー５は、ディスプレイパネル４を保護する部材である。カバー５の材質としては、例えば、ガラスまたはサファイアなどが挙げられる。
【００１０】
なお、上述した上面は、便宜上の表現であり、上および下の方向性を示すものではない。例えば、バックライト上面３１は、ディスプレイデバイス１を使用するときに上方を向く面である必要はない。この点は、後述する下面についても同様である。
【００１１】
また、上面に位置しているとは、部材が上面に接するように位置している構成に限定されるものではなく、部材と上面との間に他の部材が位置するような構成をも含む概念である。本実施形態では、カバー５が、光学粘着シート（ＯＣＡ：Optical Clear Adhesive）３０を介してディスプレイパネル上面４１に位置している。なお、上述した点は、後述する下面に位置している構成についても同様である。
【００１２】
（基板ユニット）
基板ユニット７は、表示ユニット２と電気的に接続され、且つ、表示ユニット２に表示される文字または画像などを制御する機能を有している。基板ユニット７は、例えば、接続部材などを介して表示ユニットと電気的に接続されていてもよい。接続部材としては、例えば、フレキシブル基板（ＦＰＣ）などが挙げられる。本実施形態では、図７に示すように、基板ユニット７がフレキシブル基板４０を介して表示ユニット２と電気的に接続されている。
【００１３】
基板ユニット７は、図７および図８に示すように、基板８およびホルダー９を含んでいる。基板８は、基板ユニット７の機能を発揮するうえで主たる役割を有する部材である。また、基板８は、コネクタ８１を有している。コネクタ８１は、外部プラグ（不図示）に接続される部位である。外部プラグは、コネクタ８１を介して基板８と電気的に接続される部材が備えるプラグである。
【００１４】
ホルダー９は、図７に示すように、コネクタ８１を露出させた状態で基板８を保持できるように構成されている。本実施形態のホルダー９は、図８に示すように、板状の底部９１と、底部９１に接続している側壁部９２と、底部９１のうち側壁部９２の近傍に位置している爪部９３とを有している。爪部９３は、基板８を係止可能なフック状に構成されている（図７参照）。
【００１５】
上述した構成によれば、図７および図８に示すように、底部９１と側壁部９２によって囲まれた空間Ｓ内にコネクタ８１を露出させた状態で基板８を収容することができる。また、爪部９３を基板８に係止させることによって、基板８を保持することができる。なお、ホルダー９の構成は、コネクタ８１を露出させた状態で基板８を保持できる限り、上述した構成に限定されない。ホルダー９の材質としては、例えば、合成樹脂などが挙げられる。合成樹脂としては、例えば、ＡＢＳ（アクリロニトリル、ブタジエンおよびスチレンの共重合体）樹脂またはポリカーボネート樹脂などが挙げられる。
【００１６】
（筐体）
筐体１０は、その内部に表示ユニット２および基板ユニット７を格納できるように構成されている。筐体１０は、図１１および図１２に示すように、表示ユニット２および基板ユニット７を挿入させる第１開口１１と、コネクタ８１を露出させる第２開口１２とを含んでいる。本実施形態では、図４に示すように、表示ユニット２および基板ユニット７は、筐体１０に固定されている。
【００１７】
筐体１０は、一体に成形されていてもよい。このような構成を満たすときは、筐体１０が１つの部材で構成されることから、ディスプレイデバイス１を構成する部材の数を少なくすることができる。なお、必要に応じて、筐体１０を複数の部材で構成してもよい。
【００１８】
筐体１０の材質としては、例えば、金属などが挙げられる。金属としては、例えば、マグネシウム合金またはアルミニウム合金などが挙げられる。
【００１９】
ここで、図１〜図４に示すように、表示ユニット２および基板ユニット７は、第１開口１１に表示ユニット２が露出しており、且つ、第２開口１２にコネクタ８１が露出している状態で、筐体１０内に位置している。また、図７〜図１０に示すように、本実施形態の基板ユニット７は、基板８がホルダー９に保持されており、且つ、ホルダー９が表示ユニット下面２２に対して垂直方向（Ｘ方向）に移動可能な状態で、表示ユニット下面２２に保持されている。そして、図５に示すように、ホルダー９と表示ユニット下面２２との間には、間隙ｄがある。間隙ｄは、ホルダー９と表示ユニット下面２２との間の全領域に渡って存在している。
【００２０】
上述した構成によれば、外部プラグをコネクタ８１に接続する際の押圧により表示ユニット２が筐体１０から外れる可能性を低減することができる。具体的に説明すると、例えば、ディスプレイデバイスの構造として、表示ユニットを筐体内に格納し、接着材料によって表示ユニットを筐体に固定し、基板を表示ユニット下面にねじなどを用いて固定する構造が考えられる。しかし、このような構造では、外部プラグをコネクタに接続する際の押圧により表示ユニットが筐体から外れる方向に負荷がかかってしまうため、表示ユニットが筐体から外れる可能性がある。
【００２１】
ディスプレイデバイス１は、上述のとおり、基板８を保持しているホルダー９が表示ユニット下面２２に対して垂直方向に移動可能である（図９および図１０参照）。それゆえ、基板ユニット７を筐体１０に固定するときには、ホルダー９を表示ユニット下面２２から離れるように移動させることができる。したがって、図５および図１０に示すように、ホルダー９と表示ユニット下面２２との間に間隙ｄがある状態で、基板ユニット７を筐体１０に固定することができる。そして、外部プラグをコネクタ８１に接続する際の押圧によりホルダー９が表示ユニット下面２２に近付くように撓んだとしても、ホルダー９と表示ユニット下面２２との間に間隙ｄがあることによって、ホルダー９が表示ユニット下面２２に接触しにくくなる。その結果、外部プラグをコネクタ８１に接続する際に生じる負荷が、表示ユニット２にはかからず、筐体１０によって受け止められるようになる。それゆえ、上述した機構を有するディスプレイデバイス１によれば、外部プラグをコネクタ８１に接続する際の押圧により表示ユニット２が筐体１０から外れる可能性を低減することができる。なお、間隙ｄは、例えば、部材の取り付け精度または部材のひずみなどに起因して意図せずホルダー９と表示ユニット下面２２との間において部分的に存在するものではなく、意図的にホルダー９と表示ユニット下面２２との間の全領域に渡って存在するものである。
【００２２】
表示ユニット下面２２とは、表示ユニット２が含む部材のうち最もホルダー９の近くに位置する部材が有する面であり、且つ、ホルダー９に向かい合って位置する面のことである。本実施形態では、表示ユニット２が含む部材のうち最もホルダー９の近くに位置する部材がバックライト３であり、バックライト３においてホルダー９に向かい合って位置するバックライト下面３２が表示ユニット下面２２となる。したがって、本実施形態では、ホルダー９とバックライト下面３２との間に、間隙ｄがある。間隙ｄは、例えば、０．５ｍｍ以上に設定できる。また、間隙ｄは、例えば、０．５〜１０ｍｍに設定できる。間隔ｄは、ホルダー９とバックライト下面３２との間の全領域に存在している。なお、間隙ｄは、その効果が得られる限り、例示した数値範囲に限定されない。
【００２３】
上述のとおり、筐体１０の第１開口１１には、表示ユニット２が露出している（図１参照）。より具体的には、第１開口１１に表示ユニット上面２１が露出している。表示ユニット上面２１とは、表示ユニット２が含む部材のうち最もホルダー９から離れて位置する部材が有する面であり、且つ、表示ユニット下面２２の反対側に位置する面のことである。本実施形態では、表示ユニット２が含む部材のうち最もホルダー９から離れて位置する部材がカバー５であり、カバー５において表示ユニット下面２２の反対側に位置するカバー上面５１が表示ユニット上面２１となる。したがって、本実施形態では、第１開口１１にカバー５（カバー上面５１）が露出している。
【００２４】
図７および図８に示すように、本実施形態の表示ユニット２は、表示ユニット下面２２に位置しており基板ユニット７を保持する保持部６をさらに含んでいる。保持部６は、図９に示すように、表示ユニット下面２２に対して垂直方向に延びている第１穴６１１を有する第１部位６１を有している。この第１部位６１は、例えば、表示ユニット下面２２に立設された板状片（板状突起）である。本実施形態のホルダー９は、図８に示すように、その側壁部９２の外面９２１から外方に突出しており第１穴６１１に挿入可能な第１突起９４を有している。これらの構成によれば、図９に示すように、第１突起９４を第１穴６１１に挿入して第１穴６１１の長手方向ａに沿って移動させることができる。その結果、ホルダー９が、図９および図１０に示すように、表示ユニット下面２２に対して垂直方向に移動可能となる。
【００２５】
保持部６は、第１部位６１を複数有していてもよい。同様に、ホルダー９は、第１突起９４を複数有していてもよい。第１部位６１および第１突起９４のそれぞれの数が複数のとき、その数は、例えば、２〜６である。
【００２６】
第１部位６１は、表示ユニット下面２２と一体に成形されていてもよい。このような構成を満たすときは、表示ユニット下面２２に対する第１部位６１の接続強度の向上が図れる。なお、必要に応じて、第１部位６１を表示ユニット下面２２と別部材で構成してもよい。これらの点は、後述する第２部位６２についても同様である。
【００２７】
本実施形態の第１穴６１１は、第１部位６１をその厚み方向に貫通しているが、第１穴６１１は、第１部位６１を貫通していなくてもよい。この点は、後述する第２穴６２１についても同様である。
【００２８】
本実施形態の保持部６は、図９に示すように、表示ユニット下面２２に対して垂直方向に延びている第２穴６２１を有する第２部位６２をさらに有している。この第２部位６２は、例えば、表示ユニット下面２２に立設された板状片（板状突起）である。また、本実施形態のホルダー９は、図８に示すように、その側壁部９２の外面９２１から外方に突出しており第２穴６２１に挿入可能な第２突起９５をさらに有している。これらの構成によれば、ホルダー９が表示ユニット下面２２に対して垂直方向に移動するときの安定性の向上が図れる。
【００２９】
保持部６は、第２部位６２を複数有していてもよい。同様に、ホルダー９は、第２突起９５を複数有していてもよい。第２部位６２および第２突起９５のそれぞれの数が複数のとき、その数は、例えば、２〜４である。
【００３０】
第２穴６２１は、図９に示すように、第２部位６２における表示ユニット下面２２から離れている側の端部６２ａに開口している。第２穴６２１は、第２穴６２１の長手方向ｂに垂直な方向の幅が端部６２ａに向かうにつれて大きくなっており、且つ、端部６２ａに接続している拡幅領域６２１ａを有していてもよい。このような構成を満たすときは、第２突起９５を第２穴６２１に挿入させるときの挿入性の向上が図れる。
【００３１】
本実施形態では、保持部６が第１部位６１および第２部位６２をそれぞれ複数有しており、ホルダー９が第１突起９４および第２突起９５をそれぞれ複数有している。そして、ホルダー９が、表示ユニット下面２２の保持部６に嵌装されている（図７参照）。その結果、ホルダー９が、表示ユニット下面２２に対して水平方向（ＹＺ方向）ではなく、垂直方向（Ｘ方向）に移動可能となっている。なお、基板ユニット７を表示ユニット下面２２に保持する構成は、上述した構成に限定されない。
【００３２】
表示ユニット２は、接着材料によって筐体１０に固定されていてもよい。このような構成を満たすときは、表示ユニット２を筐体１０に簡単に固定することができる。接着材料としては、例えば、両面テープまたは接着剤などが挙げられる。両面テープおよび接着剤のそれぞれの組成は、表示ユニット２を筐体１０に固定できる限り、特に限定されない。
【００３３】
表示ユニット２は、カバー下面５２の外周部５２１と、バックライト下面３２にそれぞれ位置している接着材料によって筐体１０に固定されていてもよい（図８参照）。より具体的に説明すると、カバー下面５２の面積が、バックライト下面３２の面積よりも大きくてもよい。そして、表示ユニット２が、バックライト下面３２よりも外側に位置しているカバー下面５２の外周部５２１およびバックライト下面３２にそれぞれ位置している接着材料によって筐体１０に固定されていてもよい。
【００３４】
表示ユニット２は、バックライト下面３２に位置している接着材料のみによって筐体１０に固定されていてもよい。このような構成を満たすときは、ディスプレイデバイス１の額縁１ａを狭くする狭額縁化が図れる（図１参照）。
【００３５】
ディスプレイデバイス１は、図２に示すように、ねじ２０をさらに備えていてもよい。このとき、筐体１０は、図１１および図１２に示すように、第２開口１２の周辺に位置しており、且つ、ねじ２０を挿通する貫通穴（第１貫通穴）１３をさらに含んでいてもよい。ホルダー９は、図８に示すように、貫通穴１３から露出するとともに、ねじ２０が螺合するねじ穴９６を有していてもよい。そして、基板ユニット７が、図５に示すように、筐体１０の外側から貫通穴１３を介してねじ穴９６に螺合されたねじ２０によって、筐体１０に固定されていてもよい。これらの構成を満たすときは、基板ユニット７を高い固定力で筐体１０に固定することができる。また、ねじ２０を締め付ければ、ホルダー９を表示ユニット下面２２から離れるように移動させることができる。すなわち、ねじ２０の回動によって間隙ｄの大きさを調整できるようにしてもよい。
【００３６】
ねじ２０、貫通穴１３およびねじ穴９６のそれぞれの数は、１つであってもよいし、複数であってもよい。ねじ２０、貫通穴１３およびねじ穴９６のそれぞれの数が複数のとき、その数は、例えば、２〜５である。この点は、後述する基板８の貫通穴８３についても同様である。
【００３７】
基板８は、図７および図８に示すように、導体部８２をさらに有していてもよい。このとき、筐体１０は、金属製であってもよい。そして、基板８が、導体部８２を介して金属製の筐体１０に接していてもよい（図５参照）。これらの構成を満たすときは、基板８のグランドをとることができる。また、筐体１０が金属製であることから、筐体１０の強度の向上も図れる。
【００３８】
導体部８２の材質としては、例えば、銅、アルミニウム、金または銀などが挙げられる。
【００３９】
金属製とは、実質的に金属で形成されていることを意味する。すなわち、金属製とは、厳密に金属のみで形成されている場合に限定されるものではなく、その効果が得られる限りにおいて、例えば、金属以外の材質で形成されている部分をも含む概念である。
【００４０】
基板８は、図７および図８に示すように、ねじ２０を挿通する貫通穴（第２貫通穴）８３をさらに有していてもよい。このとき、導体部８２は、貫通穴８３の周囲に位置していてもよい。なお、ねじ２０を介して基板８のグランドをさらにとるようにしてもよい。
【００４１】
他の実施形態に係るディスプレイデバイスは、基板ユニット７は、基板８がホルダー９に保持されており且つホルダー９が表示ユニット下面２２に対して垂直方向に移動可能な状態で、表示ユニット下面２２および筐体１０に保持されている構成である。この場合、保持部は、筐体１０の上面から表示ユニット下面２２にわたって、それらの面に対して垂直方向に延びている第１穴を有する第１部位を有し、ホルダー９は、その側壁部９２の外面９２１から外方に突出しており第１穴に挿入可能な第１突起を有している。すなわち、第１穴を有する第１部位を、筐体１０の上面から表示ユニット下面２２にわたって設けた構成である。あるいは、第１穴を有する第１部位が複数あり、表示ユニット下面２２に設けられた第１部位と筐体１０の上面に設けられた第１部位とを含む構成であってもよい。この構成によれば、第１突起を第１穴に挿入して第１穴の長手方向ａに沿って移動させることができる。その結果、ホルダー９が、表示ユニット下面２２に対して垂直方向に移動可能となる。そしてこの構成によれば、外部プラグをコネクタ８１に接続する際の押圧力が、表示ユニット下面２２および筐体１０の双方に加わり分散されることから、表示ユニット２が筐体１０から外れる可能性をより低減させることができる。また、外部プラグをコネクタ８１から引き抜く際の引っ張り力により、表示ユニット２が撓むこと、変形することを抑えることができる。また、本実施形態においても、表示ユニット２および基板ユニット７は、筐体１０に固定されている。
【００４２】
さらに他の実施形態に係るディスプレイデバイスは、基板ユニット７は、基板８がホルダー９に保持されており且つホルダー９が表示ユニット下面２２に対して垂直方向に移動可能な状態で、筐体１０に保持されている構成である。この場合、保持部は、筐体１０の上面（基板ユニット７および表示ユニット２に対向する面）に、その面から垂直方向に延びている第１穴を有する第１部位を有し、ホルダー９は、その側壁部９２の外面９２１から外方に突出しており第１穴に挿入可能な第１突起を有している。すなわち、第１穴を有する第１部位を筐体１０の上面に配置した構成である。この構成によれば、第１突起を第１穴に挿入して第１穴の長手方向ａに沿って移動させることができる。その結果、ホルダー９が、表示ユニット下面２２に対して垂直方向に移動可能となる。そしてこの構成によれば、外部プラグをコネクタ８１に接続する際の押圧力が、筐体１０のみに加わることから、表示ユニット２が筐体１０から外れる可能性をなくすことができる。また、外部プラグをコネクタ８１から引き抜く際の引っ張り力により、表示ユニット２が撓むこと、変形することをなくすことができる。また、本実施形態においても、表示ユニット２および基板ユニット７は、筐体１０に固定されている。
【００４３】
間隙ｄに弾性部材が配置されていてもよい。この場合、外部プラグをコネクタ８１に接続する際の押圧力が表示ユニット下面２２に加わったとしても、押圧力が表示ユニット下面２２に直接加わることを抑えることができる。弾性部材は、弾性変形可能なものであればよく、例えば、コイル状バネ、板状バネ、あるいはスポンジ、ポリウレタンフォームなどのクッション材であってもよい。
【００４４】
弾性部材は、その一端が、ホルダ９および表示ユニット下面２２の少なくとも一方に接着材、両面接着テープなどによって固定されており、弾性部材の他端とそれに対向するホルダ９の部位または表示ユニット下面２２の部位との間に隙間があってもよい。この場合、外部プラグをコネクタ８１に接続する際の押圧力が表示ユニット下面２２に加わる場合であったとしても、初動の段階では押圧力が表示ユニット下面２２に加わらず、途中から弾性部材を介して表示ユニット下面２２に加わることとなるため、表示ユニット２が筐体１０から外れる可能性をより低減させることができる。
【００４５】
上述した構成を有する本実施形態のディスプレイデバイス１は、例えば、ＣＩＤ（Center Information Display）などを含む車載ディスプレイ、スマートフォンなどを含む携帯電話、タブレット端末、携帯型ゲーム機、ノートパソコンまたは液晶モニターなどに使用することができる。なお、ディスプレイデバイス１の用途は、例示した用途に限定されない。
【００４６】
以上、本開示に係る実施形態について例示したが、本開示は上述した実施形態に限定されるものではなく、本開示の要旨を逸脱しない限り任意のものとすることができることはいうまでもない。
【００４７】
例えば、上述の実施形態では、表示ユニット２がバックライト３を含んでいるが、これに代えて、表示ユニット２がバックライト３を含まないように構成してもよい。表示ユニット２がバックライト３を含まない構成としては、例えば、表示ユニット２が有機ＥＬ（Electro-Luminescence）ディスプレイパネルなどを含む場合が挙げられる。この場合には、有機ＥＬディスプレイパネル下面が、表示ユニット下面２２となる。
【符号の説明】
【００４８】
１・・・ディスプレイデバイス
１ａ・・・額縁
２・・・表示ユニット
２１・・・表示ユニット上面
２２・・・表示ユニット下面
３・・・バックライト
３１・・・バックライト上面
３２・・・バックライト下面
４・・・ディスプレイパネル
４１・・・ディスプレイパネル上面
５・・・カバー
５１・・・カバー上面
５２・・・カバー下面
５２１・・・外周部
６・・・保持部
６１・・・第１部位
６１１・・・第１穴
６２・・・第２部位
６２ａ・・・端部
６２１・・・第２穴
６２１ａ・・・拡幅領域
７・・・基板ユニット
８・・・基板
８１・・・コネクタ
８２・・・導体部
８３・・・貫通穴（第２貫通穴）
９・・・ホルダー
９１・・・底部
９２・・・側壁部
９２１・・・外面
９３・・・爪部
９４・・・第１突起
９５・・・第２突起
９６・・・ねじ穴
１０・・・筐体
１１・・・第１開口
１２・・・第２開口
１３・・・貫通穴（第１貫通穴）
２０・・・ねじ
３０・・・光学粘着シート
４０・・・フレキシブル基板
ｄ・・・間隙
【図１】
2019146333.tif 000003
【図２】
2019146333.tif 000004
【図３】
2019146333.tif 000005
【図４】
2019146333.tif 000006
【図５】
2019146333.tif 000007
【図６】
2019146333.tif 000008
【図７】
2019146333.tif 000009
【図８】
2019146333.tif 000010
【図９】
2019146333.tif 000011
【図１０】
2019146333.tif 000012
【図１１】
2019146333.tif 000013
【図１２】
2019146333.tif 000014
【国際調査報告】
2019146333.tif 000015
2019146333.tif 000016
2019146333.tif 000017
2019146333.tif 000018